(57)【要約】【課題】通行弱者が安心して自動改札機を利用することが可能な自動改札システム、自動改札方法、及びプログラムを提供する。【解決手段】駅務システム１００は、自動改札機１を利用する利用者を撮像した撮像画像を取得する画像取得部２１１と、画像取得部２１１により取得される前記撮像画像に通行弱者の画像が含まれるか否かを判定する判定処理部２１２と、判定処理部２１２により前記撮像画像に前記通行弱者の画像が含まれると判定された場合に、前記通行弱者が利用しようとする改札通路である利用対象通路を特定する特定処理部２１３と、特定処理部２１３により特定される前記利用対象通路に対して、前記通行弱者が通行する方向である第１方向の利用を許可し、前記第１方向とは反対方向である第２方向の利用を禁止する設定処理部２１４と、を備える。【選択図】図１
2020091516.tif 000002
【特許請求の範囲】
【請求項１】
自動改札機を利用する利用者を撮像した撮像画像を取得する画像取得部と、
前記画像取得部により取得される前記撮像画像に通行弱者の画像が含まれるか否かを判定する判定処理部と、
前記判定処理部により前記撮像画像に前記通行弱者の画像が含まれると判定された場合に、前記通行弱者が利用しようとする改札通路である利用対象通路を特定する特定処理部と、
前記特定処理部により特定される前記利用対象通路に対して、前記通行弱者が通行する方向である第１方向の利用を許可し、前記第１方向とは反対方向である第２方向の利用を禁止する設定処理部と、
を備える自動改札システム。
【請求項２】
前記設定処理部は、前記利用対象通路を形成する第１自動改札機及び第２自動改札機のうち、前記第１方向の通行に対する認証処理を行うことが可能な前記第１自動改札機を有効な状態に設定し、前記第２方向の通行に対する認証処理を行うことが可能な前記第２自動改札機を無効な状態に設定する、
請求項１に記載の自動改札システム。
【請求項３】
前記設定処理部は、前記通行弱者が前記第１自動改札機を通過するまで、前記第２自動改札機を無効な状態を維持する、
請求項２に記載の自動改札システム。
【請求項４】
前記第１自動改札機及び前記第２自動改札機のそれぞれの識別情報には、前記利用対象通路の識別情報が関連付けられており、
前記設定処理部は、前記第１自動改札機に対応する前記利用対象通路を利用許可に設定し、前記第２自動改札機に対応する前記利用対象通路を利用禁止に設定する、
請求項２又は３に記載の自動改札システム。
【請求項５】
複数の前記自動改札機のそれぞれには周囲の前記利用者を撮像する撮像部が設けられており、
前記画像取得部は、複数の前記自動改札機のそれぞれから前記撮像画像を取得し、
複数の前記撮像画像に前記通行弱者の画像が含まれる場合に、前記特定処理部は、複数の前記撮像画像のうち、前記通行弱者の画像の占める割合が最も大きい前記撮像画像を撮像した前記自動改札機に対応する改札通路を前記利用対象通路として特定する、
請求項１〜４のいずれかに記載の自動改札システム。
【請求項６】
前記判定処理部は、前記撮像画像に前記通行弱者の画像が含まれると判定した場合に、さらに、前記通行弱者の画像が含まれる前記撮像画像に基づいて、前記通行弱者の移動方向を判定し、
前記特定処理部は、前記判定処理部により判定される前記移動方向に基づいて、前記利用対象通路を特定する、
請求項１〜４のいずれかに記載の自動改札システム。
【請求項７】
前記特定処理部は、前記判定処理部により判定される前記移動方向の延長線上に位置する改札通路を前記利用対象通路として特定する、
請求項６に記載の自動改札システム。
【請求項８】
前記判定処理部は、複数の前記自動改札機の周囲の混雑状況を判定し、
前記設定処理部は、前記判定処理部により判定される前記混雑状況に基づいて、複数の改札通路のうち前記利用対象通路に隣接する少なくとも一つの前記改札通路の利用を許可又は禁止する、
請求項１〜７のいずれかに記載の自動改札システム。
【請求項９】
前記設定処理部は、前記利用対象通路に対して前記通行弱者の位置とは反対側の所定の領域において、前記判定処理部により判定される前記混雑状況を表す利用者数が閾値を超える場合に、前記少なくとも一つの前記改札通路に対して、前記第１方向の利用を許可し、前記第２方向の利用を禁止する、
請求項８に記載の自動改札システム。
【請求項１０】
前記判定処理部は、前記撮像画像に前記通行弱者の画像が含まれると判定した場合に、さらに、前記通行弱者の画像が含まれる前記撮像画像に基づいて、前記通行弱者の移動速度を判定し、
前記判定処理部により判定される前記移動速度が閾値以下である場合に、前記自動改札機に前記通行弱者に対する音声案内を実行させる通知処理部をさらに備える、
請求項１〜９のいずれかに記載の自動改札システム。
【請求項１１】
自動改札機を利用する利用者を撮像した撮像画像を取得する画像取得ステップと、
前記画像取得ステップにより取得される前記撮像画像に通行弱者の画像が含まれるか否かを判定する判定ステップと、
前記判定ステップにより前記撮像画像に前記通行弱者の画像が含まれると判定された場合に、前記通行弱者が利用しようとする改札通路である利用対象通路を特定する特定ステップと、
前記特定ステップにより特定される前記利用対象通路に対して、前記通行弱者が通行する方向である第１方向の利用を許可し、前記第１方向とは反対方向である第２方向の利用を禁止する設定ステップと、
を含む自動改札方法。
【請求項１２】
自動改札機を利用する利用者を撮像した撮像画像を取得する画像取得ステップと、
前記画像取得ステップにより取得される前記撮像画像に通行弱者の画像が含まれるか否かを判定する判定ステップと、
前記判定ステップにより前記撮像画像に前記通行弱者の画像が含まれると判定された場合に、前記通行弱者が利用しようとする改札通路である利用対象通路を特定する特定ステップと、
前記特定ステップにより特定される前記利用対象通路に対して、前記通行弱者が通行する方向である第１方向の利用を許可し、前記第１方向とは反対方向である第２方向の利用を禁止する設定ステップと、
をコンピュータに実行させるためのプログラム。
【発明の詳細な説明】
【技術分野】
【０００１】
本発明は、自動改札機の改札通路の通行を制御する自動改札システム、自動改札方法、及びプログラムに関する。
【背景技術】
【０００２】
１つの改札通路において、改札口から駅構内に入場する利用者の改札処理（入場改札処理）と、駅構内から前記改札口の外側へ出場する利用者の改札処理（出場改札処理）とを行うことが可能な双方向型の自動改札機が知られている（例えば特許文献１参照）。
【先行技術文献】
【特許文献】
【０００３】
【特許文献１】特開２００６−７２８６２号公報
【発明の概要】
【発明が解決しようとする課題】
【０００４】
前記自動改札機では、例えば改札通路に双方向から進入しようとする２人の利用者のうち乗車券を先に前記自動改札機に読み取らせた一方の利用者の通行が許可され、他方の利用者の通行が禁止される。このため、一方の利用者が改札通路に進入しようとしたときに反対側の他方の利用者が先に当該改札通路に進入した場合には、一方の利用者は当該改札通路を利用できないだけでなく他方の利用者と接触する恐れがある。よって、特に利用者が視覚障碍者、車椅子利用者、妊婦、高齢者などの所謂通行弱者である場合には、自動改札機をスムーズに利用できず、また不安、恐怖を感じてしまう。
【０００５】
本発明の目的は、通行弱者が安心して自動改札機を利用することが可能な自動改札システム、自動改札方法、及びプログラムを提供することにある。
【課題を解決するための手段】
【０００６】
本発明の一の局面に係る自動改札システムは、自動改札機を利用する利用者を撮像した撮像画像を取得する画像取得部と、前記画像取得部により取得される前記撮像画像に通行弱者の画像が含まれるか否かを判定する判定処理部と、前記判定処理部により前記撮像画像に前記通行弱者の画像が含まれると判定された場合に、前記通行弱者が利用しようとする改札通路である利用対象通路を特定する特定処理部と、前記特定処理部により特定される前記利用対象通路に対して、前記通行弱者が通行する方向である第１方向の利用を許可し、前記第１方向とは反対方向である第２方向の利用を禁止する設定処理部と、を備える。
【０００７】
この構成によれば、通行弱者を検知した場合に、当該通行弱者が利用しようとする改札通路を特定し、当該改札通路を前記通行弱者の通行方向に限定した専用通路に設定する。すなわち、前記改札通路について、前記通行弱者の通行方向とは反対方向からの利用を禁止する。これにより、通行弱者が改札通路を利用しようとしたときに、利用が禁止されたり、反対方向から改札通路に進入してきた利用者と接触したりすることを防ぐことができる。よって、通行弱者が安心して自動改札機を利用することが可能となる。
【０００８】
前記自動改札システムにおいて、前記設定処理部は、前記利用対象通路を形成する第１自動改札機及び第２自動改札機のうち、前記第１方向の通行に対する認証処理を行うことが可能な前記第１自動改札機を有効な状態に設定し、前記第２方向の通行に対する認証処理を行うことが可能な前記第２自動改札機を無効な状態に設定する。
【０００９】
この構成によれば、改札通路を、通行弱者が通行する方向だけを有効な状態とすることができる。
【００１０】
前記自動改札システムにおいて、前記設定処理部は、前記通行弱者が前記第１自動改札機を通過するまで、前記第２自動改札機を無効な状態を維持する。これにより、通行弱者は安心して改札通路を通過することができる。
【００１１】
前記自動改札システムにおいて、前記第１自動改札機及び前記第２自動改札機のそれぞれの識別情報には、前記利用対象通路の識別情報が関連付けられており、前記設定処理部は、前記第１自動改札機に対応する前記利用対象通路を利用許可に設定し、前記第２自動改札機に対応する前記利用対象通路を利用禁止に設定する。
【００１２】
この構成によれば、対向して配置される前記第１自動改札機及び前記第２自動改札機の間に形成される改札通路を一方向のみ利用可能な専用通路に設定することができる。
【００１３】
前記自動改札システムにおいて、複数の前記自動改札機のそれぞれには周囲の前記利用者を撮像する撮像部が設けられており、前記画像取得部は、複数の前記自動改札機のそれぞれから前記撮像画像を取得し、複数の前記撮像画像に前記通行弱者の画像が含まれる場合に、前記特定処理部は、複数の前記撮像画像のうち、前記通行弱者の画像の占める割合が最も大きい前記撮像画像を撮像した前記自動改札機に対応する改札通路を前記利用対象通路として特定する。
【００１４】
また前記自動改札システムにおいて、前記判定処理部は、前記撮像画像に前記通行弱者の画像が含まれると判定した場合に、さらに、前記通行弱者の画像が含まれる前記撮像画像に基づいて、前記通行弱者の移動方向を判定し、前記特定処理部は、前記判定処理部により判定される前記移動方向に基づいて、前記利用対象通路を特定する。
【００１５】
また前記自動改札システムにおいて、前記特定処理部は、前記判定処理部により判定される前記移動方向の延長線上に位置する改札通路を前記利用対象通路として特定する。
【００１６】
これらの構成によれば、通行弱者が利用する可能性が高い改札通路を特定することができる。
【００１７】
前記自動改札システムにおいて、前記判定処理部は、複数の前記自動改札機の周囲の混雑状況を判定し、前記設定処理部は、前記判定処理部により判定される前記混雑状況に基づいて、複数の改札通路のうち前記利用対象通路に隣接する少なくとも一つの前記改札通路の利用を許可又は禁止する。
【００１８】
前記自動改札システムにおいて、前記設定処理部は、前記利用対象通路に対して前記通行弱者の位置とは反対側の所定の領域において、前記判定処理部により判定される前記混雑状況を表す利用者数が閾値を超える場合に、前記少なくとも一つの前記改札通路に対して、前記第１方向の利用を許可し、前記第２方向の利用を禁止する。
【００１９】
これにより、通行弱者と他の利用者が接触することを確実に防ぐことができる。また、通行弱者がより安心して自動改札機を利用することが可能となる。
【００２０】
前記自動改札システムにおいて、前記判定処理部は、前記撮像画像に前記通行弱者の画像が含まれると判定した場合に、さらに、前記通行弱者の画像が含まれる前記撮像画像に基づいて、前記通行弱者の移動速度を判定し、前記判定処理部により判定される前記移動速度が閾値以下である場合に、前記自動改札機に前記通行弱者に対する音声案内を実行させる通知処理部をさらに備える。
【００２１】
これにより、通行弱者を専用通路に案内することができるとともに、通行弱者に配慮した案内を実施することができる。
【００２２】
本発明の他の局面に係る自動改札方法は、自動改札機を利用する利用者を撮像した撮像画像を取得する画像取得ステップと、前記画像取得ステップにより取得される前記撮像画像に通行弱者の画像が含まれるか否かを判定する判定ステップと、前記判定ステップにより前記撮像画像に前記通行弱者の画像が含まれると判定された場合に、前記通行弱者が利用しようとする改札通路である利用対象通路を特定する特定ステップと、前記特定ステップにより特定される前記利用対象通路に対して、前記通行弱者が通行する方向である第１方向の利用を許可し、前記第１方向とは反対方向である第２方向の利用を禁止する設定ステップと、を含む。
【００２３】
本発明の他の局面に係るプログラムは、自動改札機を利用する利用者を撮像した撮像画像を取得する画像取得ステップと、前記画像取得ステップにより取得される前記撮像画像に通行弱者の画像が含まれるか否かを判定する判定ステップと、前記判定ステップにより前記撮像画像に前記通行弱者の画像が含まれると判定された場合に、前記通行弱者が利用しようとする改札通路である利用対象通路を特定する特定ステップと、前記特定ステップにより特定される前記利用対象通路に対して、前記通行弱者が通行する方向である第１方向の利用を許可し、前記第１方向とは反対方向である第２方向の利用を禁止する設定ステップと、をコンピュータに実行させるためのプログラムである。
【発明の効果】
【００２４】
本発明によれば、通行弱者が安心して自動改札機を利用することが可能となる。
【図面の簡単な説明】
【００２５】
【図１】図１は、本発明の実施形態に係る駅務システムの各装置の構成を示すブロック図である。
【図２】図２は、本発明の実施形態に係る自動改札機の一例を示す斜視図である。
【図３】図３は、本発明の実施形態に係る自動改札機の他の例を示す斜視図である。
【図４】図４は、本発明の実施形態に係る駅務システムで利用される利用設定情報ＤＢの一例を示す図である。
【図５】図５は、本発明の実施形態に係る自動改札機を利用する通行弱者の利用態様の一例を示す図である。
【図６】図６は、本発明の実施形態に係る自動改札機を利用する通行弱者の利用態様の他の例を示す図である。
【図７】図７は、本発明の実施形態に係る自動改札機を利用する通行弱者の利用態様の他の例を示す図である。
【図８】図８は、本発明の実施形態に係る自動改札機で実行される通路設定処理の一例を示すフローチャートである。
【図９】図９は、本発明の実施形態に係る自動改札機を利用する通行弱者の利用態様の他の例を示す図である。
【図１０】図１０は、本発明の実施形態に係る自動改札機を利用する通行弱者の利用態様の他の例を示す図である。
【発明を実施するための形態】
【００２６】
以下、適宜図面を参照して本発明の実施形態について説明する。なお、以下に説明される実施形態は本発明を具体化した一例にすぎず、本発明の技術的範囲を限定するものではない。
【００２７】
［駅務システム１００］
図１に示すように、本発明の実施形態に係る駅務システム１００は、自動改札機１及び駅サーバ２を含む。駅務システム１００は、本発明の自動改札システムの一例であり、自動改札機１は、本発明の自動改札機の一例である。駅務システム１００は、１つの駅に対応して設けられてもよいし、複数の駅に対応して設けられてもよい。１つの駅には、自動改札機１、駅サーバ２、券売機（不図示）、精算機（不図示）、及び、駅員が使用する駅員端末（不図示）等の駅務機器が設置されている。これら駅務機器は、ＬＡＮ等のネットワークＮ１を介して互いに通信可能に接続されている。また、駅サーバ２は、専用回線、公衆回線等のネットワークを介して、鉄道事業者（鉄道会社）が管理するサーバ装置であるセンタ装置（図示せず）に通信可能に接続されてもよい。
【００２８】
自動改札機１は、駅の改札口に設置されている。図１では、２台の自動改札機１Ａ，１Ｂを示しているが、自動改札機１の数は限定されない。また自動改札機１は１台又は複数台で双方向に利用可能な双方向型の自動改札機を構成する。例えば図２に示すように、互い対向して配置された２台の自動改札機１Ａ，１Ｂの間に改札通路６を形成することにより、自動改札機１Ａは入場用の自動改札機として機能し、自動改札機１Ｂは出場用の自動改札機として機能する。すなわち、自動改札機１Ａ，１Ｂは、双方向型の自動改札機として機能する。
【００２９】
具体的には、一方の自動改札機１Ａは、入場時の進行方向（矢印Ｄ１０の方向）に沿って前記改札口から改札内に入場する利用者に対して改札処理（入場改札処理）を行う入場用自動改札機として機能する。他方の自動改札機１Ｂは、出場時の進行方向（矢印Ｄ１１の方向）に沿って前記改札口から前記改札口の外側の改札外へ出場する利用者に対して改札処理（出場改札処理）を行う出場用自動改札機として機能する。
【００３０】
図３には、複数の改札通路６を形成する双方向型の自動改札機を示している。図３では、自動改札機１Ａ及び自動改札機１Ｂにより双方向に利用可能な改札通路Ｌ１が形成され、自動改札機１Ｃ及び自動改札機１Ｄにより双方向に利用可能な改札通路Ｌ２が形成され、自動改札機１Ｅ及び自動改札機１Ｆにより双方向に利用可能な改札通路Ｌ３が形成されている。自動改札機１Ａ，１Ｃ，１Ｅは入場用自動改札機として機能し、自動改札機１Ｂ，１Ｄ，１Ｆは出場用自動改札機として機能する。通常、各自動改札機１は利用者の利用を受け付け可能な状態に設定されており、利用者は各改札通路を双方向に利用可能である。
【００３１】
以下、駅務システム１００を構成する自動改札機１及び駅サーバ２の具体的な構成について説明する。
【００３２】
［自動改札機１］
図１には、自動改札機１の機能ブロックを示し、図２には、１つの改札通路６を形成する自動改札機１の外観を示している。自動改札機１は、駅の改札口に設置され、前記改札口を通る利用者に対して改札処理を行う。例えば図２に示すように、自動改札機１Ａ，１Ｂは、互いに対向するように設置されて、両者の間に形成される改札通路６を双方向に利用可能な双方向型の自動改札機として機能する。
【００３３】
図１及び図２に示すように、自動改札機１は、制御部１１と、記憶部１２と、表示部１３と、通信部１４と、ゲート１５と、読取部１６と、撮像部１７とを備えており、これらが自動改札機１の筐体１０（図２参照）に設けられている。
【００３４】
記憶部１２は、各種の情報を記憶するＨＤＤ又はＳＳＤなどを含む不揮発性の記憶媒体である。なお、本実施形態では、記憶部１２が自動改札機１に設けられた構成を例示するが、例えば、記憶部１２内の各種情報の一部又は全部が、ネットワークＮ１などを通じて自動改札機１とデータ通信可能な他のサーバ装置、ネットワーク接続可能な記憶装置などの外部装置に記憶されていてもよい。記憶部１２には、各種制御処理、自動改札機１で実行される各種処理などを制御部１１に実行させるための制御プログラム、前記各種処理に用いられる各種のデータが記憶されている。
【００３５】
表示部１３は、制御部１１からの指示に従って、改札通路６を通行する利用者に対してメッセージを表示する。表示部１３は、例えば、液晶パネルを有している。図２に示すように、表示部１３は、自動改札機１の筐体１０の上面に配置されている。詳細には、表示部１３は、筐体１０の上面において、改札通路６（図２参照）における利用者の進行方向（矢印Ｄ１０又は矢印Ｄ１１の方向）の前方側に配置されている。本実施形態では、表示部１３は、入場又は出場に用いられるゲート１５と概ね同じ位置か、或いは、ゲート１５よりも前記進行方向の前方側に配置されている。利用者の通行が許可される場合、表示部１３には、利用者に通行可能であることを示すメッセージが表示される。また、利用者の通行が許可されない場合、表示部１３には、利用者に通行不可（禁止）であることを示すメッセージが表示される。なお、自動改札機１が出場用として用いられる場合は、表示部１３には、例えば、運賃が不足していることを示すメッセージが表示されてもよい。
【００３６】
通信部１４は、自動改札機１を有線又は無線でネットワークＮ１に接続し、ネットワークＮ１を介して駅サーバ２などの外部機器との間で所定の通信プロトコルに従ったデータ通信を実行するための通信インターフェースである。
【００３７】
ゲート１５は、自動改札機１の改札通路６において前記進行方向の前方側の出口の付近に設置される。ゲート１５は、例えば開閉可能な扉である。ゲート１５が開放されると、利用者は自動改札機１の改札通路６を通過することが可能となり、ゲート１５が閉鎖されると、利用者は自動改札機１の改札通路６を通過することが不可能となる。なお、ゲート１５は、物理的な扉に限られず、例えば、ホログラムを用いた立体画像で現された扉であってもよい。また、ゲート１５は、音声により利用者の通過を許可又は禁止する音声ゲートであってもよい。
【００３８】
読取部１６は、筐体１０の上面において、前記進行方向の手前側の端部に設けられ、利用者が所持する乗車券の情報（以下、「乗車券情報」という。）を読み取る。読取部１６は、例えばＩＣカード読取部である。読取部１６は、ＩＣカード形式の乗車券の情報を読み取る。読取部１６により読み取られた乗車券情報は制御部１１に送信される。制御部１１は乗車券情報に基づいて改札処理を実行する。ＩＣ乗車券を利用する利用者は、読取部１６にＩＣ乗車券を翳して、改札通路６を通行する。なお、読取部１６は、ＱＲコード（登録商標）を含むＱＲ乗車券の情報を読み取るＱＲコード読取部であってもよい。
【００３９】
撮像部１７は、利用者を撮像するデジタルカメラなどである。図２に示すように、撮像部１７は、筐体１０における改札通路６の入口側の前方側面に設けられている。撮像部１７は、利用者が改札通路６に進入する前に利用者を撮像する。撮像部１７は、自動改札機１の周囲の利用者を所定のフレームレートで撮像し、撮像データを順次、制御部１１に送信する。
【００４０】
本実施形態に係る駅務システム１００は複数の自動改札機１を備えるため、各自動改札機１において、撮像部１７による利用者の撮像が行われる。このため、自動改札機１を利用する各利用者は、通行場所に応じて１又は複数の自動改札機１により撮像される。
【００４１】
制御部１１は、自動改札機１の各部の動作を制御する。制御部１１は、ＣＰＵ、ＲＯＭ、及びＲＡＭなどの制御機器を有する。前記ＲＯＭは、前記ＣＰＵに各種の処理を実行させるためのＢＩＯＳ及びＯＳなどの制御プログラムが予め記憶された不揮発性の記憶媒体である。前記ＲＡＭは、各種の情報を記憶する揮発性又は不揮発性の記憶媒体であり、前記ＣＰＵが実行する各種の処理の一時記憶メモリ（作業領域）として使用される。そして、制御部１１は、前記ＲＯＭ又は記憶部１２に予め記憶された各種の制御プログラムを前記ＣＰＵで実行することにより自動改札機１を制御する。
【００４２】
図１に示すように、制御部１１は、通行制御部１１１、ゲート処理部１１２、撮像処理部１１３、通知処理部１１４などの各種処理部を含む。尚、制御部１１は、前記ＣＰＵで前記制御プログラムに従った各種の処理を実行することによって前記各種の処理部として機能する。また、制御部１１に含まれる一部又は全部の処理部が電子回路で構成されていてもよい。尚、前記制御プログラムは、複数のプロセッサを前記各種の処理部として機能させるためのプログラムであってもよい。
【００４３】
通行制御部１１１は、読取部１６により読み取られた乗車券情報（例えばＩＣ乗車券情報）を取得する。前記ＩＣ乗車券情報には、ＩＣ乗車券の発行日及び有効期限、チャージされている金額（残金）、ユーザーＩＤなどの情報が含まれている。また、前記ＩＣ乗車券にはＩＣ定期券が含まれ、当該ＩＣ定期券の場合の前記ＩＣ乗車券情報には、ＩＣ定期券の発行日及び有効期限、乗車区間、ユーザーＩＤなどの情報が含まれている。通行制御部１１１は、前記ＩＣ乗車券情報に基づいて、前記ＩＣ乗車券を認証する処理を行う。
【００４４】
また通行制御部１１１は、前記ＩＣ乗車券が認証された場合に前記ＩＣ乗車券情報に改札記録（例えば、入場記録、出場記録など）を含む改札情報を付与してＩＣ乗車券情報を更新する。例えば、出場用の自動改札機１において、通行制御部１１１は、ＩＣ乗車券にチャージされている金額から所定の金額（運賃）を減額し、減額された残りの金額（残金）をＩＣ乗車券の情報保持部に書き込む。また、通行制御部１１１は、ＩＣ乗車券の入場記録及び出場記録の情報等を付与する。このように、通行制御部１１１は、ＩＣ乗車券情報を取得する機能と、ＩＣ乗車券情報に改札情報を付与する機能とを有する。なお、通行制御部１１１は、ＱＲ乗車券又は磁気乗車券など、他の媒体により認証処理を行ってもよい。
【００４５】
また、通行制御部１１１は、前記認証処理の結果に基づいて、自動改札機１を利用する利用者の通過を制御する。具体的には、通行制御部１１１は、前記乗車券が有効であると判定された場合に、利用者が改札通路６を通行することを許可し、前記乗車券が無効であると判定された場合に、利用者が改札通路６を通行することを禁止する。
【００４６】
ここで、通行制御部１１１は、利用者が所定位置を通過する前に前記認証処理を行う。前記所定位置は、例えば改札通路６の途中位置に設定されており、前記所定位置には、利用者の通過を検知するセンサ（不図示）が設けられている。これにより、通行制御部１１１は、前記乗車券情報を取得する前に前記センサにより利用者が検知された場合には、利用者が改札通路６を通行することを禁止する。
【００４７】
また、通行制御部１１１は、駅サーバ２から取得する設定情報（後述）に基づいて、改札通路６の利用を許可又は禁止する。具体的には、通行制御部１１１は、駅サーバ２から改札通路６の利用を許可する設定情報（利用許可情報）を取得した場合に、改札通路６の利用を許可し、駅サーバ２から改札通路６の利用を禁止する設定情報（利用禁止情報）を取得した場合に、改札通路６の利用を禁止する。例えば、通行制御部１１１は、前記利用許可情報を取得すると、自動改札機１を有効な状態に設定して、前記乗車券情報を取得した場合に前記乗車券の認証処理を行い利用者の改札通路６の通行を許可する。一方、通行制御部１１１は、前記利用禁止情報を取得すると、自動改札機１を無効な状態に設定して、前記乗車券情報を取得した場合に前記乗車券の認証処理を行わずに利用者の改札通路６の通行を禁止する。
【００４８】
ここで、詳細は後述するが、例えば、駅サーバ２は前記利用許可情報を自動改札機１Ａ及び自動改札機１Ｂに送信することにより、改札通路Ｌ１（図３参照）を双方向に利用可能な改札通路（入出場用通路）に設定する。また例えば、駅サーバ２は前記利用禁止情報を自動改札機１Ｃに送信し、前記利用許可情報を自動改札機１Ｄに送信することにより、改札通路Ｌ２（図３参照）を出場用の改札通路（出場専用通路）に設定する。また例えば、駅サーバ２は前記利用許可情報を自動改札機１Ｅに送信し、前記利用禁止情報を自動改札機１Ｆに送信することにより、改札通路Ｌ３（図３参照）を入場用の改札通路（入場専用通路）に設定する。
【００４９】
ゲート処理部１１２は、ゲート１５の動作（開閉など）を制御する。例えば、通行制御部１１１により改札通路６における利用者の通行が許可された場合、ゲート処理部１１２は、ゲート１５を開放する。一方、通行制御部１１１により改札通路６における利用者の通行が禁止された場合、ゲート処理部１１２は、ゲート１５を閉鎖する。
【００５０】
撮像処理部１１３は、撮像部１７により撮像される利用者の撮像画像に対応する撮像データを取得し、当該撮像データを駅サーバ２に送信する。また撮像処理部１１３は、前記撮像データに自動改札機１の識別情報と撮像日時の情報とを付与し、これら情報を含む前記撮像データを駅サーバ２に送信する。
【００５１】
通知処理部１１４は、改札通路６を通行する利用者に対する前記各メッセージを出力する。例えば、通知処理部１１４は、前記各メッセージを、表示部１３に表示させてもよいし、スピーカー（不図示）から音声を出力させてもよい。
【００５２】
［駅サーバ２］
駅サーバ２は、駅に設置される複数の自動改札機１を管理するサーバ装置である。駅サーバ２は、駅に設置されてもよいし、駅の外部に設置されてもよい。
【００５３】
図１に示すように、駅サーバ２は、制御部２１と、記憶部２２と、操作表示部２３と、通信部２４とを備えている。
【００５４】
通信部２４は、駅サーバ２を有線又は無線でネットワークＮ１に接続し、ネットワークＮ１を介して自動改札機１などの外部機器との間で所定の通信プロトコルに従ったデータ通信を実行するための通信インターフェースである。
【００５５】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。操作表示部２３は、主に駅サーバ２の管理者により操作される。
【００５６】
記憶部２２は、各種の情報を記憶するＨＤＤ又はＳＳＤなどを含む不揮発性の記憶媒体である。なお、本実施形態では、記憶部２２が駅サーバ２に設けられた構成を例示するが、例えば、記憶部２２内の各種情報の一部又は全部が、ネットワークＮ１などを通じて駅サーバ２とデータ通信可能な他のサーバ装置、ネットワーク接続可能な記憶装置などの外部装置に記憶されていてもよい。具体的に、記憶部２２は、撮像データ格納部２２１及び利用設定情報データベース（以下、「利用設定情報ＤＢ」という。）２２２を含む。撮像データ格納部２２１は、駅に設置された複数の自動改札機１のそれぞれから制御部２１（画像取得部２１１）が取得する前記撮像データを格納する。
【００５７】
図４は利用設定情報ＤＢ２２２の一例を示す図である。利用設定情報ＤＢ２２２には、複数の自動改札機１のそれぞれに対応する改札通路６について、利用者の利用を許可する設定情報（利用許可情報）、又は、利用者の利用を禁止する設定情報（利用禁止情報）が登録される。具体的には、利用設定情報ＤＢ２２２には、改札機ＩＤ、通路番号、画像情報、及び利用設定情報が登録される。前記改札機ＩＤは、自動改札機１の識別情報である。「ＩＤ＿１Ａ」は図３に示す自動改札機１Ａを示し、「ＩＤ＿１Ｂ」は図３に示す自動改札機１Ｂを示し、「ＩＤ＿１Ｃ」は図３に示す自動改札機１Ｃを示し、「ＩＤ＿１Ｄ」は図３に示す自動改札機１Ｄを示し、「ＩＤ＿１Ｅ」は図３に示す自動改札機１Ｅを示し、「ＩＤ＿１Ｆ」は図３に示す自動改札機１Ｆを示している。前記通路番号は、改札通路６の識別情報を示している。「Ｌ１」は図３に示す改札通路Ｌ１を示し、「Ｌ２」は図３に示す改札通路Ｌ２を示し、「Ｌ３」は図３に示す改札通路Ｌ３を示している。各自動改札機１には１つの改札通路６の識別情報が関連付けられている。互いに対向して配置されて双方向型の自動改札機を実現する２台の自動改札機１には、同一の改札通路６の識別情報が関連付けられる。
【００５８】
前記画像情報は、前記撮像画像の識別情報であり、撮像データ格納部２２１に格納される前記撮像データと関連付けられる。ここで、利用設定情報ＤＢ２２２には、特定の利用者の撮像画像の撮像データに対応する画像情報が登録される。前記特定の利用者は、視覚障碍者、車椅子利用者、妊婦、高齢者などの通行弱者である。また、利用設定情報ＤＢ２２２には、同一人物の前記画像情報が登録されてもよい。例えば、図４に示す例では、通行弱者である利用者Ｕ１の撮像画像Ｐｃ及び撮像画像Ｐｅの画像情報が登録されている。なお、撮像画像Ｐｃは、自動改札機１Ｃで撮像された画像であることを示し、撮像画像Ｐｅは、自動改札機１Ｅで撮像された画像であることを示している。
【００５９】
前記利用設定情報は、自動改札機１に対応する改札通路６に対する利用者の利用を許可する設定情報（利用許可情報）、又は、利用者の利用を禁止する設定情報（利用禁止情報）である。図４に示す例では、入場用の自動改札機１Ａに対応する改札通路Ｌ１に対して「許可」が設定され、出場用の自動改札機１Ｂに対応する改札通路Ｌ１に対して「許可」が設定されている。このため、改札通路Ｌ１は、双方向で利用可能な通路（入出場用通路）に設定される。同様に、入場用の自動改札機１Ｃに対応する改札通路Ｌ２に対して「許可」が設定され、出場用の自動改札機１Ｄに対応する改札通路Ｌ２に対して「許可」が設定されている。このため、改札通路Ｌ２は、双方向で利用可能な通路（入出場用通路）に設定される。一方、入場用の自動改札機１Ｅに対応する改札通路Ｌ３に対して「許可」が設定され、出場用の自動改札機１Ｆに対応する改札通路Ｌ３に対して「禁止」が設定されている。このため、改札通路Ｌ３は、一方向（入場時の進行方向Ｄ１０）でのみ利用可能な通路（入場専用通路）に設定される。
【００６０】
さらに、記憶部２２には、制御部２１に後述の通路設定処理（図８参照）を実行させるための通路設定プログラムなどの制御プログラムが記憶されている。例えば、前記通路設定プログラムは、ＵＳＢ、ＣＤ又はＤＶＤなどのコンピュータ読取可能な記録媒体に非一時的に記録されており、駅サーバ２に電気的に接続されるＵＳＢドライブ、ＣＤドライブ又はＤＶＤドライブなどの読取装置（不図示）で読み取られて記憶部２２に記憶される。また、前記通路設定プログラムは、駅サーバ２からアクセス可能な外部サーバからダウンロードされて、記憶部２２に記憶されてもよい。
【００６１】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより駅サーバ２を制御する。
【００６２】
具体的に、制御部２１は、図１に示されるように、画像取得部２１１、判定処理部２１２、特定処理部２１３、設定処理部２１４、通知処理部２１５などの各種の処理部を含む。なお、制御部２１は、前記ＣＰＵで前記通路設定プログラムに従った各種の処理を実行することによって、画像取得部２１１、判定処理部２１２、特定処理部２１３、設定処理部２１４、通知処理部２１５として機能する。また、制御部２１に含まれる一部又は全部の処理部が電子回路で構成されていてもよい。なお、前記通路設定プログラムは、複数のプロセッサを前記各種の処理部として機能させるためのプログラムであってもよい。
【００６３】
画像取得部２１１は、駅に設置された複数の自動改札機１のそれぞれから前記撮像データを取得する。画像取得部２１１は、例えば、前記撮像データに付与された自動改札機１の識別情報に基づいて、前記撮像データを当該識別情報ごとに分類して撮像データ格納部２２１に格納する。また画像取得部２１１は、前記撮像データに付与された撮像日時の情報に基づいて、前記撮像データを時系列に並べて撮像データ格納部２２１に格納する。
【００６４】
判定処理部２１２は、撮像データ格納部２２１に格納された複数の撮像データに対して画像解析を行い、通行弱者に対応する撮像データを抽出する。例えば、判定処理部２１２は、前記撮像データの撮像画像に杖、車椅子、ベビーカーなどの特定の画像が含まれるか否かを判定し、前記撮像画像に前記特定の画像が含まれる場合に当該撮像データを通行弱者の画像を含む撮像データであると判定する。また例えば、判定処理部２１２は、前記撮像データの撮像画像から顔画像を抽出し、当該顔画像の特徴量に基づいて当該顔画像が高齢者であるか否かを判定し、高齢者である場合に当該撮像データを通行弱者の画像を含む撮像データであると判定する。
【００６５】
また判定処理部２１２は、前記撮像画像に通行弱者の画像が含まれる場合に、当該撮像画像の識別情報を利用設定情報ＤＢ２２２（図４参照）に登録する。
【００６６】
特定処理部２１３は、判定処理部２１２により判定及び抽出された通行弱者の撮像データに付与された自動改札機１の識別情報に基づいて、前記通行弱者が利用しようとする改札通路である利用対象通路を特定する。
【００６７】
例えば、図５に示すように、通行弱者である利用者Ｕ１が自動改札機１Ｅ付近にいる場合において、同時刻に自動改札機１Ａ，１Ｂ，１Ｃ，１Ｄ，１Ｅ，１Ｆのそれぞれにおいて撮像された複数の撮像データのうち、自動改札機１Ｅにおいて撮像された撮像データにのみ利用者Ｕ１の撮像画像が含まれる場合には、特定処理部２１３は、自動改札機１Ｅに対応する改札通路Ｌ３を、利用者Ｕ１が利用しようとする前記利用対象通路として特定する。
【００６８】
また例えば、図６に示すように、通行弱者である利用者Ｕ１が自動改札機１Ｃ，１Ｅ付近にいる場合において、同時刻に自動改札機１Ａ，１Ｂ，１Ｃ，１Ｄ，１Ｅ，１Ｆのそれぞれにおいて撮像された複数の撮像データのうち、自動改札機１Ｃ，１Ｅにおいて撮像された撮像データに利用者Ｕ１の撮像画像が含まれる場合には、特定処理部２１３は、自動改札機１Ｃに対応する改札通路Ｌ２と、自動改札機１Ｅに対応する改札通路Ｌ３とを、前記利用対象通路として特定する。
【００６９】
ここで、図６に示すように、通行弱者の撮像画像が含まれる複数の撮像データが存在する場合に、特定処理部２１３は、通行弱者が利用する可能性が最も高い改札通路６を前記利用対象通路として特定してもよい。例えば、図６に示す例において、特定処理部２１３は、図７に示すように、自動改札機１Ｃで撮像された撮像画像Ｐｃと、自動改札機１Ｅで撮像された撮像画像Ｐｅとを比較し、前記通行弱者の画像の占める割合が大きい方の撮像画像（ここでは撮像画像Ｐｅ）を撮像した自動改札機１（ここでは自動改札機１Ｅ）に対応する改札通路Ｌ３を、前記利用対象通路として特定する。特定処理部２１３は、前記通行弱者の画像の占める割合が小さい方の撮像画像（ここでは撮像画像Ｐｃ）を撮像した自動改札機１（ここでは自動改札機１Ｃ）に対応する改札通路Ｌ２を、前記利用対象通路として特定しない。
【００７０】
なお、図５又は図６に示すように、通行弱者である利用者Ｕ１が自動改札機１Ａ付近にいない場合において、自動改札機１Ａ，１Ｂにおいて撮像された撮像データに利用者Ｕ１の撮像画像が含まれない場合には、特定処理部２１３は、自動改札機１Ａ，１Ｂに対応する改札通路Ｌ１を、前記利用対象通路として特定しない。
【００７１】
設定処理部２１４は、駅サーバ２が管理する複数の自動改札機１のそれぞれに対応する複数の改札通路６のそれぞれを、双方向で利用可能な通路（入出場用通路）、一方向（入場時の進行方向Ｄ１０）で利用可能な通路（入場専用通路）、及び一方向（出場時の進行方向Ｄ１１）で利用可能な通路（出場専用通路）のいずれかに設定する。具体的には、設定処理部２１４は、複数の自動改札機１のそれぞれに対応する複数の改札通路６のそれぞれに対して、利用者の利用の許可又は利用の禁止を設定する。設定処理部２１４は、駅サーバ２が管理する複数の自動改札機１のそれぞれに対応する改札通路６に対して、利用者の利用の許可又は利用の禁止を設定する。具体的には、設定処理部２１４は、特定処理部２１３により特定された前記利用対象通路の情報に基づいて、複数の自動改札機１のそれぞれに対応する改札通路６に対して、利用者の利用の許可又は利用の禁止を設定し、利用設定情報ＤＢ２２２において、複数の自動改札機１のそれぞれに対応する改札通路６に対して、利用者の利用を許可する設定情報（利用許可情報）、又は、利用者の利用を禁止する設定情報（利用禁止情報）を登録する（図４参照）。
【００７２】
図４に示す設定情報は、図７に示す例に対応する。例えば、改札通路Ｌ１を形成する自動改札機１Ａ，１Ｂのそれぞれにおいて撮像された撮像データには通行弱者である利用者Ｕ１の画像が含まれないため、特定処理部２１３は、自動改札機１Ａ，１Ｂに対応する改札通路Ｌ１を、利用者Ｕ１が利用しようとする前記利用対象通路として特定しない。この場合、設定処理部２１４は、自動改札機１Ａ，１Ｂのそれぞれに対応する改札通路Ｌ１を利用許可に設定し、利用許可情報を登録する。すなわち、特定処理部２１３は、改札通路Ｌ１を双方向で利用可能な通路（入出場用通路）に設定する。
【００７３】
また例えば、改札通路Ｌ２を形成する自動改札機１Ｃ、１Ｄのうち自動改札機１Ｃおいて撮像された撮像データには利用者Ｕ１の画像が含まれ、自動改札機１Ｃおいて撮像された撮像データには利用者Ｕ１の画像が含まれない。ここで、特定処理部２１３は、図７に示すように、利用者Ｕ１の画像の占める割合が小さい撮像画像Ｐｃを撮像した自動改札機１Ｃに対応する改札通路Ｌ２を、前記利用対象通路として特定しない。すなわち、特定処理部２１３は、自動改札機１Ｃ，１Ｄに対応する改札通路Ｌ２を、前記利用対象通路として特定しない。このため、設定処理部２１４は、自動改札機１Ｃ，１Ｄに対応する改札通路Ｌ２を利用許可に設定し、利用許可情報を登録する。すなわち、特定処理部２１３は、改札通路Ｌ２を双方向で利用可能な通路（入出場用通路）に設定する。
【００７４】
これに対して、例えば、改札通路Ｌ３を形成する自動改札機１Ｅ、１Ｆのうち自動改札機１Ｅおいて撮像された撮像データには利用者Ｕ１の画像が含まれ、自動改札機１Ｆおいて撮像された撮像データには利用者Ｕ１の画像が含まれない。ここで、特定処理部２１３は、図７に示すように、利用者Ｕ１の画像の占める割合が大きい撮像画像Ｐｅを撮像した自動改札機１Ｅに対応する改札通路Ｌ３を、前記利用対象通路として特定する。一方、特定処理部２１３は、自動改札機１Ｆに対応する改札通路Ｌ３を、前記利用対象通路として特定しない。この場合、設定処理部２１４は、自動改札機１Ｅに対応する改札通路Ｌ３を利用許可に設定して利用許可情報を登録し、自動改札機１Ｆに対応する改札通路Ｌ３を利用禁止に設定して利用禁止情報を登録する。すなわち、特定処理部２１３は、改札通路Ｌ３を一方向（入場時の進行方向Ｄ１０）でのみ利用可能な通路（入場専用通路）に設定する。
【００７５】
このように、設定処理部２１４は、前記利用対象通路を形成する第１自動改札機及び第２自動改札機のうち、第１方向（進行方向Ｄ１０）の通行に対する認証処理を行うことが可能な前記第１自動改札機を有効な状態に設定し、第２方向（進行方向Ｄ１１）の通行に対する認証処理を行うことが可能な前記第２自動改札機を無効な状態に設定する。
【００７６】
また、設定処理部２１４は、通行弱者である利用者Ｕ１が専用通路に設定された改札通路６（利用対象通路）を通過した場合に、当該改札通路６を双方向で利用可能な通路（入出場用通路）に切り替える。例えば、設定処理部２１４は、自動改札機１Ｅから、利用者Ｕ１が改札通路Ｌ３を通行することを許可する情報（認証情報）と利用者Ｕ１が改札通路Ｌ３内の前記センサを通過したことを示す情報（通過情報）とを取得した場合に、利用設定情報ＤＢ２２２において、自動改札機１Ｆに対応する改札通路Ｌ３の利用設定情報を利用禁止から利用許可に変更する。
【００７７】
このように、設定処理部２１４は、前記通行弱者が前記第１自動改札機（例えば自動改札機１Ｅ）を通過するまで、前記第２自動改札機（例えば自動改札機１Ｆ）の無効な状態を維持し、前記通行弱者が前記第１自動改札機を通過した場合に前記第２自動改札機を有効にする。
【００７８】
通知処理部２１５は、設定処理部２１４により設定される、複数の自動改札機１に対応する改札通路６のそれぞれに対する利用の許可又は禁止の設定情報を、複数の自動改札機１のそれぞれに通知する。例えば、図４に示す例では、通知処理部２１５は、利用許可情報を自動改札機１Ａ，１Ｂ，１Ｃ，１Ｄ，１Ｅに送信し、利用禁止情報を自動改札機１Ｆに送信する。
【００７９】
自動改札機１Ａ，１Ｂ，１Ｃ，１Ｄ，１Ｅのそれぞれは、上述のように、駅サーバ２から前記利用許可情報を取得すると、改札通路６の利用を許可する。一方、自動改札機１Ｆは、駅サーバ２から前記利用禁止情報を取得すると、改札通路６の利用を禁止する。これにより、改札通路Ｌ１，Ｌ２は双方向で利用可能となり、改札通路Ｌ３は一方向（入場時の進行方向Ｄ１０）でのみ利用可能となる。
【００８０】
［通路設定処理］
次に、図８を参照しつつ、駅務システム１００において実行される通路設定処理について説明する。具体的に、本実施形態では、駅サーバ２の制御部２１によって前記通路設定処理が実行される。
【００８１】
なお、本発明は、前記通路設定処理に含まれる一又は複数のステップを実行する自動改札方法（通路設定方法）の発明として捉えることができる。また、ここで説明する前記通路設定処理に含まれる一又は複数のステップは適宜省略されてもよい。なお、前記通路設定処理における各ステップは同様の作用効果を生じる範囲で実行順序が異なってもよい。さらに、ここでは制御部２１によって前記通路設定処理における各ステップが実行される場合を例に挙げて説明するが、複数のプロセッサによって前記通路設定処理における各ステップが分散して実行される自動改札方法も他の実施形態として考えられる。
【００８２】
ここでは、上述した図４に示す例を挙げて前記通路設定処理の手順を説明する。
【００８３】
ステップＳ１１において、制御部２１は、駅に設置された複数の自動改札機１のそれぞれから、各自動改札機１の周囲の利用者を撮像した前記撮像データを取得する。
【００８４】
次にステップＳ１２において、制御部２１は、前記撮像データの撮像画像に通行弱者の画像が含まれるか否かを判定する。前記撮像データの撮像画像に前記通行弱者の画像が含まれると判定された場合に（Ｓ１２：ＹＥＳ）、処理はステップＳ１３に移行する。一方、前記撮像データの撮像画像に前記通行弱者の画像が含まれないと判定された場合に（Ｓ１２：ＮＯ）、処理はステップＳ１６に移行する。
【００８５】
ステップＳ１３において、制御部２１は、前記通行弱者の画像を含む撮像データに付与された自動改札機１の識別情報に基づいて、前記通行弱者が利用しようとする改札通路（利用対象通路）を特定する。
【００８６】
次にステップＳ１４において、制御部２１は、前記利用対象通路を専用通路に設定する。具体的には、制御部２１は、前記利用対象通路を形成する２台の自動改札機１のうち、前記通行弱者の画像を含む撮像データに付与された自動改札機１を利用許可に設定し、当該自動改札機１に対向する他方の自動改札機１を利用禁止に設定する（図４参照）。
【００８７】
図４に示す例では、制御部２１は、前記通行弱者の画像を含む撮像データ（撮像画像Ｐｅ）に付与された自動改札機１Ｅを利用許可に設定し、自動改札機１Ｅに対向する他方の自動改札機１Ｆを利用禁止に設定する。
【００８８】
次にステップＳ１５において、制御部２１は、前記通行弱者が前記利用対象通路を通過したか否かを判定する。前記通行弱者が前記利用対象通路を通過したと判定された場合に（Ｓ１５：ＹＥＳ）、処理はステップＳ１６に移行する。制御部２１は、前記通行弱者が前記利用対象通路を通過したと判定するまで判定処理を繰り返す（Ｓ１５：ＮＯ）。例えば、制御部２１は、前記通行弱者が自動改札機１Ｅを利用して改札通路Ｌ３を通過したと判定するまで判定処理を繰り返す。
【００８９】
ステップＳ１６において、制御部２１は、専用通路に設定した前記利用対象通路を双方向に利用可能な通路（入出場用通路）に切り替える。以上の手順で前記通路設定処理が実行される。
【００９０】
以上説明したように、本実施形態に係る駅務システム１００では、通行弱者を検知した場合に、当該通行弱者が利用しようとする改札通路を特定し、当該改札通路を前記通行弱者の通行方向に限定した専用通路に設定する。すなわち、前記改札通路について、前記通行弱者の通行方向とは反対方向からの利用を禁止する。これにより、通行弱者が改札通路を利用しようとしたときに、利用が禁止されたり、反対方向から改札通路に進入してきた利用者と接触したりすることを防ぐことができる。よって、通行弱者が安心して自動改札機を利用することが可能となる。
【００９１】
なお、駅務システム１００は、通行弱者が利用しようとする改札通路（前記利用対象通路）と、前記利用対象通路に隣接する１又は複数の改札通路６とを前記専用通路に設定してもよい。また複数の改札通路６を前記専用通路に設定した場合には、通行弱者がいずれかの前記専用通路を通過した時点では、全ての前記専用通路を通常の通路（例えば入出場用通路）に切り替えてもよい。
【００９２】
また、駅務システム１００は、前記専用通路に設定した改札通路６に隣接する両側の改札通路６を双方向で利用禁止に設定してもよい。これにより、通行弱者の傍で同一方向に通行する利用者による自動改札機１の利用を禁止することができるため、通行弱者の通行の安全を確保することができる。
【００９３】
本発明は上述の実施形態に限定されず、以下の変形例に示す形態であってもよい。
【００９４】
［変形例１］
駅務システム１００の他の実施形態として、例えば、各自動改札機１は撮像部１７を備えていなくてもよい。この場合、駅務システム１００では、少なくとも一つの撮像部（カメラ）が駅構内に設けられ、当該撮像部が、駅に設置された複数の自動改札機１と、各自動改札機１の周囲の利用者とを撮像する。なお、前記撮像部は、駅に既設のカメラであってもよい。
【００９５】
この構成では、画像取得部２１１は、前記撮像部から撮像データを取得する。また判定処理部２１２は、前記撮像部の撮像画像に通行弱者の画像が含まれると判定した場合に、さらに、前記通行弱者の画像が含まれる前記撮像画像に基づいて、前記通行弱者の移動方向を判定する。そして、特定処理部２１３は、判定処理部２１２により判定される前記移動方向に基づいて、前記利用対象通路を特定する。例えば、特定処理部２１３は、前記移動方向の延長線上に位置する改札通路６を前記利用対象通路として特定する。
【００９６】
なお、特定処理部２１３は、以下の方法により前記利用対象通路を特定してもよい。例えば、特定処理部２１３は、通行弱者の画像を含む撮像画像に基づいて、前記通行弱者の位置に最も近い改札通路６を前記利用対象通路として特定する。
【００９７】
また例えば、特定処理部２１３は、図９に示すように、自動改札機１Ａ，１Ｂ，１Ｃ，１Ｄ，１Ｅ，１Ｆが並ぶ方向に直交する位置の利用者Ｕ１を基準として、改札通路Ｌ１，Ｌ２，Ｌ３に向かう方向の角度Ｒ１，Ｒ２，Ｒ３を測定する。そして、特定処理部２１３は、前記角度が最も小さくなる改札通路６（ここでは角度Ｒ２の改札通路Ｌ２）を前記利用対象通路として特定する。
【００９８】
また例えば、特定処理部２１３は、前記撮像データに基づいて利用者Ｕ１の進行方向を特定し、当該進行方向の改札通路６と、当該進行方向の角度よりも鋭角となる改札通路６とを前記利用対象通路として特定する。例えば、図９に示す例において、利用者Ｕ１の進行方向が改札通路Ｌ３に向かう方向である場合、特定処理部２１３は、改札通路Ｌ３と、前記進行方向の角度よりも鋭角となる改札通路Ｌ２とを前記利用対象通路として特定する。これにより、利用者Ｕ１が利用する可能性がある複数の改札通路６を専用通路に設定することができる。
【００９９】
［変形例２］
また駅務システム１００の他の実施形態として、例えば、駅サーバ２の制御部２１（判定処理部２１２）は、複数の自動改札機１の周囲の混雑状況を判定し、制御部２１（設定処理部２１４）は、前記混雑状況に基づいて、複数の改札通路６のうち前記利用対象通路に隣接する少なくとも一つの改札通路６の利用を許可又は禁止する。具体的には、設定処理部２１４は、前記利用対象通路に対して前記通行弱者の位置とは反対側の所定の領域において、判定処理部２１２により判定される前記混雑状況を表す利用者数が閾値を超える場合に、前記少なくとも一つの改札通路６に対して、前記利用対象通路と同一の通路設定を行う。
【０１００】
例えば、図１０に示すように、前記利用対象通路（例えば改札通路Ｌ３）に対して前記通行弱者の位置とは反対側の所定の領域ＡＲにおいて、利用者数が閾値を超える場合に、改札通路Ｌ２に対して、一方向（入場時の進行方向Ｄ１０）の利用を許可し、逆方向（出場時の進行方向Ｄ１１）の利用を禁止する。これにより、通行弱者（利用者Ｕ１）と他の利用者Ｕ２〜Ｕ４とが接触することを確実に防ぐことができるため、通行弱者がより安心して自動改札機１を利用することが可能となる。
【０１０１】
一方、前記所定の領域ＡＲにおいて、利用者数が閾値以下である場合に、改札通路Ｌ２に対して、一方向（入場時の進行方向Ｄ１０）の利用を許可し、逆方向（出場時の進行方向Ｄ１１）の利用を禁止する構成としてもよい。この場合、利用者数が閾値を超える場合には、改札通路Ｌ２に対して、双方向の利用を許可する。これにより、所定の領域ＡＲの他の利用者の通行の流れが妨げられることを防ぐことができる。なお、この場合、通行弱者に対して専用通路が限定されるため、制御部２１は、前記専用通路に誘導する音声案内を実行してもよい。
【０１０２】
また、制御部２１は、改札口付近の混雑状況に応じて複数の改札通路６を専用通路に設定してもよい。具体的には、制御部２１は、前記混雑状況に応じて、複数の改札通路６を互いに連携させて、複数の改札通路６の通行方向の設定を切り替える。例えば前記所定の領域ＡＲにおいて利用者数が閾値を超える場合には、前記通行弱者が利用する前記利用対象通路以外の複数の改札通路６を逆方向（出場時の進行方向Ｄ１１）専用の改札通路に設定する。また、前記通行弱者の通行方向と同じ方向に通行する利用者数が閾値を超える場合には、前記通行弱者が利用する前記利用対象通路以外の改札通路６を同一方向（入場時の進行方向Ｄ１０）専用の改札通路に設定する。これにより、改札口付近の混雑状況に応じて通行弱者及び他の利用者を適切な改札通路６に誘導することができるため、改札口付近の混雑を緩和することができる。
【０１０３】
なお、制御部２１（判定処理部２１２）は、前記利用者数の代わりに、所定の領域の利用者の人口密度を用いて判定処理を行ってもよい。
【０１０４】
［変形例３］
また駅務システム１００の他の実施形態として、例えば、前記利用対象通路を形成する自動改札機１の制御部１１（通知処理部１１４）は、専用通路に設定したことを表すメッセージを音声出力（音声案内）してもよい。この場合に、他の自動改札機１が、前記専用通路の場所を音声案内してもよい。具体的には、駅サーバ２の制御部２１（通知処理部２１５）が、所定の自動改札機１に前記音声案内の指示を行う。自動改札機１は、前記指示を取得すると前記音声案内を実行する。
【０１０５】
また例えば、自動改札機１は、前記通行弱者の移動速度に基づいて前記音声案内を実施してもよい。具体的には、駅サーバ２の制御部２１（判定処理部２１２）が、撮像画像に通行弱者の画像が含まれると判定した場合に、さらに、前記通行弱者の画像が含まれる前記撮像画像に基づいて、前記通行弱者の移動速度を判定する。そして、制御部２１（通知処理部２１５）は、前記移動速度が閾値以下の場合に前記音声案内の指示を、前記利用対象通路を形成する自動改札機１に送信する。また制御部２１（通知処理部２１５）は、前記移動速度が閾値を超える場合には前記音声案内の指示を送信しない。自動改札機１は、前記指示を取得すると前記音声案内を実行する。このように、移動速度が比較的遅い通行弱者に対しては、自動改札機１の利用に不慣れな可能性があるため音声案内を実行する。一方、移動速度が比較的速い通行弱者に対しては、音声案内が煩わしくなる可能性があるため音声案内を省略する。これにより、通行弱者に配慮した案内を実施することができる。
【０１０６】
本発明の自動改札システム（駅務システム）は、上述の各実施形態に示したように駅サーバ２及び自動改札機１により構成されてもよいし、駅サーバ２のみで構成されてもよい。また、本発明の駅務システムは、自動改札機１のみで構成されてもよい。この構成では、各自動改札機１が、駅サーバ２の制御部２１の各処理部を備える。また、本発明の自動改札機は、双方向に利用可能な１台の自動改札機１で構成されてもよい。
【０１０７】
なお、本発明の自動改札システムは、駅に限定されず、空港、店舗など自動改札機を備える施設に適用することができる。
【符号の説明】
【０１０８】
１          ：自動改札機
２          ：駅サーバ
６          ：改札通路
１１        ：制御部
１２        ：記憶部
１３        ：表示部
１４        ：通信部
１５        ：ゲート
１６        ：読取部
１７        ：撮像部
２１        ：制御部
２２        ：記憶部
２３        ：操作表示部
２４        ：通信部
１００      ：駅務システム
１１１      ：通行制御部
１１２      ：ゲート処理部
１１３      ：撮像処理部
１１４      ：通知処理部
２１１      ：画像取得部
２１２      ：判定処理部
２１３      ：特定処理部
２１４      ：設定処理部
２１５      ：通知処理部
【図１】
2020091516.tif 000003
【図２】
2020091516.tif 000004
【図３】
2020091516.tif 000005
【図４】
2020091516.tif 000006
【図５】
2020091516.tif 000007
【図６】
2020091516.tif 000008
【図７】
2020091516.tif 000009
【図８】
2020091516.tif 000010
【図９】
2020091516.tif 000011
【図１０】
2020091516.tif 000012